(57)【特許請求の範囲】
【請求項１】
（ａ）上部に開口を有する中空体からなるダストカバーと、
（ｂ）前記ダストカバーを下から支持するアームと、
（ｃ）前記ダストカバーの内部に配設されたブラシと、
（ｄ）前記ブラシを回転および上下動させる操作軸
とからなり、
前記操作軸が中空の外側パイプからなり、かつ、
前記外側パイプが、前記アームに固定された内側パイプの外周面において回転自在かつ上下動自在に取り付けられ、さらに
前記内側パイプが前記ダストカバーを貫通しており、内側パイプの先端が、前記ダストカバーの上部開口よりも上方に突出し、かつ、前記内側パイプの先端には、袋ナットが設けられてなる集塵装置。 
【請求項２】
前記アームの長さを変更することができるようにされてなる請求項１記載の集塵装置。
【請求項３】
前記ダストカバー内部に消毒液を供給するための供給機構をさらに備えてなる請求項１または２記載の集塵装置。
【請求項４】
前記ダストカバーの上部開口の周縁の少なくとも一部には、スリットを有するラバーが配設されてなる請求項１、２または３記載の集塵装置。
【請求項５】
前記ダストカバーの上部開口の周縁の少なくとも一部には、起毛からなるクッションが配設されてなる請求項１、２、３または４記載の集塵装置。
【請求項６】
前記ダストカバーの上部開口の周縁に一対のスリットが形成されてなる請求項１、２、３、４または５記載の集塵装置。
【請求項７】
前記ダストカバーに、負圧を発生するための負圧発生源が接続されてなる請求項１、２、３、４、５または６記載の集塵装置。
【請求項８】
前記負圧発生源が携帯可能な集塵機からなる請求項７記載の集塵装置。
【発明の詳細な説明】
【０００１】
【発明の属する技術分野】
本発明は集塵装置に関する。さらに詳しくは、天井面または天井面に取り付けた機器に付着したダストを除去するに際し、養生準備、取り外し、洗浄、乾燥、取り付け、後片づけの作業工程を必要としない集塵装置に関する。
【０００２】
【従来の技術および発明が解決しようとする課題】
従来より、天井面または天井面に取り付けた機器に付着したダストを除去するための清掃作業は、天井面に取り付けられている機器などに手が届かないため、脚立を利用したり、長尺のほうきでダストなどをかきおとし、またはふき取り作業をしていた。そのため、重労働であり、天井からダストが落下して周囲を汚すおそれがある。また飛散するダストなどのために作業環境はよくなかった。
【０００３】
また、天井面に取り付けられている換気扇などの機器は意匠面において種々の工夫がなされているため、機器の表面または内部に付着したダストを除去する場合には、天井から機器を取り外したり、場合によっては分解したのち、洗浄する作業が行なわれている。
【０００４】
従来の天井用換気扇は、確かに羽根の清掃については改善がなされ、たとえば、本体から化粧枠、吸気口および羽根をいかに容易に取り外しができるかという構造的な問題を改良し、製品化されている。しかし、天井用換気扇の分解清掃が面倒であるという根本的な欠点は解消されていない。
【０００５】
天井に取り付けられている機器内部の汚れおよびダストについては、作業性のわるさから多くは同じ周期で取り外し洗浄を行なっているか、または故障や寿命による器具の取り替え時まで何もしないのが現状である。付着したダストには、湿気や気温の条件によりダニやカビなどが発生し環境問題にまでなっている。そのためにダスト付着予防製品は流通しているが、機器内部の羽根などを清掃できる用具は現在までなかった。したがって、機器内部の羽根などに付着したダストにより換気量が低下したり、羽根の重量増による消費電力のムダが生じるという問題がある。
【０００６】
本発明はかかる問題を解消するためになされたものであり、天井面または天井面に取り付けられている機器に付着しているダストを、周囲にまき散らすことなく清掃を容易にかつ、短時間で行なうことができる集塵装置を提供する。
【０００７】
【課題を解決するための手段】
本発明の集塵装置は（ａ）上部に開口を有する中空体からなるダストカバーと、
（ｂ）前記ダストカバーを下から支持するアームと、
（ｃ）前記ダストカバーの内部に配設されたブラシと、
（ｄ）前記ブラシを回転および上下動させる操作軸
とからなり、
前記操作軸が中空の外側パイプからなり、かつ、
前記外側パイプが、前記アームに固定された内側パイプの外周面において回転自在かつ上下動自在に取り付けられ、さらに
前記内側パイプが前記ダストカバーを貫通しており、内側パイプの先端が、前記ダストカバーの上部開口よりも上方に突出し、かつ、前記内側パイプの先端には、袋ナットが設けられてなることを特徴とする。
【００１０】
前記アームの長さを変更することができるようにされてなるのが好ましい。
【００１１】
前記ダストカバー内部に消毒液を供給するための供給機構をさらに備えてなるのが好ましい。
【００１２】
前記ダストカバーの上部開口の周縁の少なくとも一部には、スリットを有するラバーが配設されてなるのが好ましい。
【００１３】
前記ダストカバーの上部開口の周縁の少なくとも一部には、起毛からなるクッションが配設されてなるのが好ましい。
【００１４】
前記ダストカバーの上部開口の周縁に一対のスリットが形成されてなるのが好ましい。
【００１５】
前記ダストカバーに、負圧を発生するための負圧発生源が接続されてなるのが好ましい。
【００１６】
前記負圧発生源が携帯可能な集塵機からなるのが好ましい。
【００１７】
【発明の実施の形態】
つぎに図面を参照しながら本発明の集塵装置について説明する。図１は本発明の集塵装置の一実施の形態である天井用換気扇の清掃に適した集塵装置であり、ダストカバーを天井に当接した直後の状態を示す断面説明図、図２は図１の円Ｉで囲まれたカバーとコネクタとの連結部分の拡大断面図、図３は図１の円ＩＩで囲まれた図１の内側パイプと袋ナットとの連結部分の拡大断面図、図４は図１の集塵装置の清掃中の状態を示す断面説明図、図５は図１の供給機構の拡大断面図、図６は図４の集塵装置のIII−III線断面図、図７は図１のブラシに適用されるブラシの毛の説明図、図８は本発明の集塵装置の他の実施の形態である天井埋込器具の清掃に適した集塵装置の断面説明図、図９は本発明の集塵装置のさらに他の実施の形態である天井露出器具の清掃に適した集塵装置のダストカバーの説明図、図１０は本発明の集塵装置のさらに他の実施の形態である天井の空調吸込み口の清掃に適した集塵装置のダストカバーの説明図、および図１１は本発明の集塵装置に接続される負圧発生源の一例として、リュックサック型の携帯用集塵機を示す斜視説明図である。
【００１８】
図１〜６に示される天井用換気扇Ｆを清掃するのに適した集塵装置は、上部に開口を有する中空体からなるダストカバー１と、ダストカバー１を下から支持するアーム２と、ダストカバー１の内部に配設されたブラシ３と、ブラシ３を回転および上下動させる操作軸である中空の外側パイプ４と、下端部が前記アーム２に固定され、外側パイプ４を回転自在かつ上下動自在に支持する内側パイプ５とから構成されている。さらに、図１の集塵装置は、ダストカバー１にアダプタ６を介して接続されたリュックサック型の携帯用集塵機７（図１１参照）を備えている。
【００１９】
図１〜２および図４に示されるアダプタ６は、ホース６ａと、ホース６ａの上端をダストカバー１下面に突出する排気口に螺着するためのコネクタ６ｂと、ホース６ａの下端に固着されたコネクタ６ｃと、コネクタ６ｃと後述するテーパ継手６ｅとをつなぐための、幅広のゴムバンド状のゴム製接続具６ｄと、先細りのパイプからなるテーパ継手６ｅとから構成されている。コネクタ６ｃおよびテーパ継手６ｅの対向する端部には、それぞれ接続具６ｄが巻き締められることによって、コネクタ６ｃとテーパ継手６ｅとのあいだが連結されている。テーパ継手６ｅは、先細りの形状を呈しているため、種々の口径の掃除機のパイプまたは吸引口に対して気密的に連結することが可能である。接続具６ｄは、ゴム製のものに限定されるものではなく、金属製やプラスチック製のものを用いることもできる。
【００２０】
本実施の形態の集塵装置によれば、一方の手でアーム２を握り、他方の手でグリップ８をつかんで外側パイプ４を上昇させてから上下動および回転させることにより、ブラシ３は図２に示されるように、天井用換気扇Ｆの羽根Ｂの内面および奥の部分に付着しているダストをかき取り、かつ、羽根Ｂを磨くことができる。このとき、落下するダストは、すべてダストカバー１に接続された携帯用集塵機７（図１１参照）に捕集することができる。それにより、周囲にダストをまき散らすことなく清掃を容易にかつ、短時間で行なうことができる。
【００２１】
天井用換気扇Ｆの羽根Ｂに付着したダストは、油類を含んでいるが、長年の未清掃などにより、粘着化・固形化しているが、作業途中で少量の洗剤を使用することで、固形化されたダストに対しても時間をかければ清掃効果がある。
【００２２】
また、本発明の集塵装置を用いる清掃作業は、短時間ですむ簡単な作業であるため、ダスト付着の状態に応じて環境改善サイクルに合わせた、清掃回数を容易に決めることができる環境にやさしい清掃用具である。
【００２３】
図１および図４に示される集塵装置は、ブラシ３の操作軸が中空の外側パイプ４からなり、かつ、外側パイプ４が内側パイプ５に回転自在かつ上下動自在に取り付けられている。そのため、図４および図６に示されるように、清掃中にダストカバー１内部が前記携帯用集塵機７によって負圧にされたときに、内側パイプ５の下端開口から外気がダストカバー１内部に導入され、その空気の流れによって吸塵性能を向上させることができる。
【００２４】
図１および図４に示される集塵装置は、内側パイプ５の下端の外周面において、おねじ部９が形成されている。内側パイプ５のおねじ部９は、アーム２の下端部の挿入孔２ａに挿入され、アーム２の両面から２つのナット１０、１１が締結されている。
【００２５】
内側パイプ５の上部は、ダストカバー１を貫通しており、内側パイプ５の先端部１２は、ダストカバー１の上部開口１ａよりも上方に突出している。内側パイプ５の先端部１２付近の外周面において、通気孔５ａが開口されている。また、内側パイプ５の先端部１２には、図１および図３〜４に示されるように、角柱状のロッド５ｂが溶着などによって固着され、さらにロッド５ｂの先端には任意の口径の袋ナット１３が着脱自在に取り付けられている。本実施の形態では、ロッド５ｂの先端には、バネにより外方に付勢された出没自在のボール５ｃが取り付けられているため、ボール５ｃによって、袋ナット１３がロッド５ｂの先端から脱落するのを防止することができる。
【００２６】
内側パイプ５の先端に袋ナット１３が取り付けられていることにより、天井用換気扇Ｆを清掃する際には、図１のダストカバー１が天井面に当接した状態から、前記ナット１０、１１を緩めて内側パイプ５を上方へのばせば、袋ナット１３を天井用換気扇Ｆの羽根ＢをモータＭの駆動軸に固定するためのナットＮに嵌合させて、羽根Ｂを回転できないように固定することができる。それにより、前記ブラシ３を回転させても羽根Ｂがブラシ３とともに回転することがなくなり、ダスト除去能力が高くなる。
【００２７】
図１〜２に示されるアーム２は、上部部分１４と、下部部分１５とからなり、これら上部部分１４および下部部分１５の合わせ目部分の長さを任意に調整したのちネジ１６で締結することにより、アーム２全体の長さを変更することができるようになっている。そのため、使用者の身長や天井の高さなどを考慮して、最適なアーム２の長さに変更することができる。なお、本発明はアーム２の長さ調整についてネジ止めによる調整に限定されるものではなく、その他の長さ調整手段を採用することができる。
【００２８】
また、図１および図４〜５に示される実施の形態の集塵装置は、ダストカバー１内部にクレゾール、エチルアルコールまたは酢酸など通常用いられている消毒液４０を供給するための供給機構１７をさらに備えているため、清掃中に天井用換気扇Ｆに消毒液を噴霧またはジェット噴射などにより供給することができる。消毒液４０は、殺菌液または静電気防止液などを含んでもよい。
【００２９】
供給機構１７としては、図１および図４〜５に示されている手動ポンプ４１や注射器などの人力による圧送手段を用いることができるが、エアゾール製品や電動ポンプなどを用いてもよい。図１および図４〜５に示される供給機構１７は、ピストン４２を数回押すことにより、容器４３内の消毒液４０が手動ポンプ４１内に送りこまれ、加圧されたのち、噴霧ノズル４４を通過することで霧状になってダストカバー１内に供給される。また、噴霧を行なわない場合は、ダストカバー１の内側からノズル詰り防止用キャップ４５をかぶせて噴霧ノズル４４を保護しておけばよい。
【００３０】
また、容器４３の底面に硬貨やねじ回しなどで回転操作するための溝を形成すれば、硬貨などを用いて容易に容器４３を供給機構１７に着脱することができるため、容器４３の交換を容易かつ迅速に行なうことができる。
【００３１】
なお、図１および図４〜５に示される供給機構１７は、ダストカバー１を天井用換気扇に密着させるためのグリップの役割も果たすことができる。
【００３２】
また、図１および図４に示されるように、ダストカバー１の上部開口１ａの周縁の少なくとも一部には、スリット１８ａを有するラバー１８が配設されているため、吸込み空気量を複数箇所から均等に補充することができ、しかも、清掃作業時に天井用換気扇Ｆに対して外部的圧力が付加されるのを防止することができる。
【００３３】
また、図１、図４および図６に示されるブラシ１は、有底円筒状の台座１９の内周面および外周面に長さおよび角度の異なる毛２０が植毛されたものである。台座１９の底面には、天井用換気扇Ｆからホース６へ抜ける空気の流れを円滑にするために、複数の通気孔１９ａが開口されている。
【００３４】
ブラシ１の毛２０は、本発明において、とくに限定されるものではないが、たとえばナイロンやポリプロピレンなどの合成樹脂、または豚毛などの動物毛で作製することができる。また、毛２０の形状についても、本発明はとくに限定するものではないが、たとえば、Ｉライン状の毛２１（図７（ａ））、Ｌライン状の毛２２（図７（ｂ））、らせん状の毛２３（図７（ｃ））、ストレート状の毛２４（図７（ｄ））などが採用され得る。
【００３５】
ダストカバー１に接続される携帯用集塵機７として、本実施の形態では、図１１に示されるように、リュックサック内部に市販の小型掃除機を収納したものが採用されている。これにより、図１に示される集塵装置を両手で持ち、携帯用集塵機を背中に背負うことができ、今までのように複数の人員で床面に備品などを置いて作業を行なう必要がなくなり、装備の全てを身につけて単独で清掃作業を行なうことができる。また、集塵装置本体には市販の掃除機の使用ができ、充電式掃除機を使用すればより行動性に富んだ清掃作業を行なうことができる。なお、集塵機として移動可能な床置型のものを用いてもよい。
【００３６】
図１１のリュックサックの上部にはホース６（図１参照）が接続されるホース接続口２５が設けられ、背面全体にはメッシュ状の排気孔２６が形成されているため、円滑な排気が可能であり、しかも、排気風が作業者に当らない。さらに、背当て部分２７は、小型掃除機の駆動時の熱を断熱するための断熱材によって作製されているため、作業者の背中に熱が伝達するおそれがない。
【００３７】
なお、図１１には、ファスナーが１個取り付けられたリュックサックが示されているが、本発明はこれに限定されるものではなく、ホース接続口２５の両側にそれぞれファスナーが取り付けられてもよく、この場合、リュックサック内部のこ型掃除機を上方から取出し、または収納しやすいという利点を有する。
【００３８】
つぎに、本発明の集塵装置の他の実施の形態として、図８に示されるように、いわゆるダウンライトなどの電球Ｖなどの天井埋込器具の清掃に適した集塵装置を説明する。図８に示される集塵装置は、図１に示される集塵装置のブラシ３を直線状の長い毛を束ねたブラシ２８に変更したものであり、その他の構成は図１のものと同じである。
【００３９】
図８に示される集塵装置では、グリップ８を手で持ち、ブラシ２８を電球Ｖに押し当てた状態で回転させれば、電球Ｖおよび周囲のシェードＳを容易に清掃することができる。
【００４０】
また、本発明の集塵装置のさらに他の実施の形態として、天井面に設けられる蛍光灯などの長尺の天井露出器具を清掃するために、図１に示される集塵装置のダストカバー１を、図９に示されるような上部開口２９ａの周縁に一対のスリット３０、３１が形成されたダストカバー２９に取り替えてもよい。その他の構成は図１のものと同じである。
【００４１】
図９のダストカバー２９の上部開口２９ａの周縁のスリットがない部分には、起毛状のクッション３２が配設されている。前方側のスリット３０は、蛍光灯が入りこみやすいように植毛されていない。後方側のスリット３１には、内側には短い毛３３が植毛され、外側には長い毛３４が植毛されている。それにより、スリット３０、３１に蛍光灯を挟み、スリット３０を前にして、ダストカバー２９を進めながら清掃を行なうときに、内側の短い毛３３および外側の長い毛３４により、蛍光灯を磨く効果を高めることができる。
【００４２】
さらに、本発明の集塵装置のさらに他の実施の形態として、天井面の空調吸込み口を清掃するために、図１に示される集塵装置のダストカバー１を、図１０の平面図（ａ）、および側面図（ｂ）に示されるように、上部開口３５ａの周縁のうち前方側の半周分に起毛状クッション３６が配設され、後方側の半周分にスリット３７ａを有するラバー３７が配設されたダストカバー３５に取り替えてもよい。その他の構成は図１のものと同じである。それにより、起毛状クッション３６を前にして、ダストカバー３５を進めながら清掃を行なえば、空調吸込み口を円滑に清掃することができる。
【００４３】
また、ダストカバー３５の上端開口３５ａの後方部に、スリット３７ａを有するラバー３７が配設されており、このスリット３７ａは空調吸込み口の突起に対応するので、ラバー３７に洗浄液をしみ込ませることにより、汚れをふき取ることができる。なお、前記ラバー３７は固定式でもよいが、交換可能な脱着式であってもよい。
【００４４】
【発明の効果】
本発明によれば、天井面または天井面に取り付けられている機器に付着しているダストを、周囲にまき散らすことなく清掃を容易にかつ、短時間で行なうことができる。
【００４５】
しかも、ダストカバーおよびブラシは、清掃される機器の形状に応じてそれに合った部品を使い分けることで、３メートル前後までの天井面に取り付けられている照明器具や空調吸込み口などの表面に付着するダストを、脚立などの足場を用いることなく、床面作業で除去吸引できる。また、照明器具や空調吸込み口などは、それらを使用中でも清掃することが可能である。
【００４６】
本発明の集塵装置による清掃は、ブラシのみによる乾式清掃であるため、水や洗剤を必要としない。そして、こまめに清掃を繰り返すことにより、日常生活環境を一定に保つことができる。
【００４７】
また、小型軽量であるために保管場所を選ばず、持ち運びが楽であり、機動性に富み、人の手を必要とせず、高所および狭い場所での作業も可能であり、清掃物に対する特別な機械構造など専門知識も必要としない。
【００４８】
在来工法とは違い、作業中のダスト拡散が防止され、洗剤などの使用が抑えられることにより、作業者への安全性が高まり、作業時間の短縮ができる。集塵機には市販の掃除機を使用し、集められたダストは市販の杭菌紙パックに集約されゴミとして捨てることができるため、集塵機の排気もクリーンで手を汚すこともない。
【００４９】
ダスト除去には洗浄作業をしないため、養生・機器取り外し・洗浄・乾燥・機器取付け・後かたづけの必要がなく、気密性の高いマンションの洗面室や浴室、常時換気の必要な病院や老人ホームなどの施設の居室・共用部に対し、日常の清掃作業ができ、施設・室内の環境改善・省エネ効果を奏することができる。
【００５０】
また、屋外（庇下・軒下など）の露出器具においては蜘蛛が器具の周囲に巣を作り、ダスト以外の物が巣に絡まり環境をわるくしている。本発明の携帯型吸引式清掃器具は、電気のない場所においても、コードレス掃除機を用いれば、ダストカバーの上部が接する場所であれば、周囲にダスト類を飛び散らすことなく、これを除去でき、景観を改善させることができる。
【図面の簡単な説明】
【図１】本発明の集塵装置の一実施の形態である天井用換気扇の清掃に適した集塵装置であり、ダストカバーを天井に当接した直後の状態を示す断面説明図である。
【図２】図１の円Ｉで囲まれたカバーとコネクタとの連結部分の拡大断面図である。
【図３】図１の円ＩＩで囲まれた図１の内側パイプと袋ナットとの連結部分の拡大断面図である。
【図４】図１の集塵装置の清掃中の状態を示す断面説明図である。
【図５】図１の供給機構の拡大断面図である。
【図６】図４の集塵装置のIII−III線断面図である。
【図７】図１のブラシに適用されるブラシの毛の説明図である。
【図８】本発明の集塵装置の他の実施の形態である天井埋込器具の清掃に適した集塵装置の断面説明図である。
【図９】本発明の集塵装置のさらに他の実施の形態である天井露出器具の清掃に適した集塵装置のダストカバーの説明図である。
【図１０】本発明の集塵装置のさらに他の実施の形態である天井の空調吸込み口の清掃に適した集塵装置のダストカバーの説明図である。
【図１１】本発明の集塵装置に接続される負圧発生源の一例として、リュックサック型の携帯用集塵機を示す斜視説明図である。
【符号の説明】
１  ダストカバー
２  アーム
３  ブラシ
４  外側パイプ
５  内側パイプ
【図１】
0003541278.tif 000002
【図２】
0003541278.tif 000003
【図３】
0003541278.tif 000004
【図４】
0003541278.tif 000005
【図５】
0003541278.tif 000006
【図６】
0003541278.tif 000007
【図７】
0003541278.tif 000008
【図８】
0003541278.tif 000009
【図９】
0003541278.tif 000010
【図１０】
0003541278.tif 000011
【図１１】
0003541278.tif 000012